(57)【要約】      （修正有）【課題】表示モジュールの表示面に埃等が滞留しない貯蔵庫を提供する。【解決手段】貯蔵庫１０は、表示部４０を備える貯蔵庫１０であって、表示部４０は、貯蔵庫１０の外観を構成する操作パネル（外観構成部材）２２に形成された第１開口部（開口部）２４を介して表示面４４が視認可能な構成とされ、表示面４４を備えて方形板状をなす表示モジュール４２と、表示面４４が第１開口部（開口部）２４内に収まるように、表示モジュール４２を操作パネル（外観構成部材）２２に取り付ける取付部材と、を備え、第１開口部（開口部）２４に収められた表示面４４は、操作パネル（外観構成部材）２２における第１開口部（開口部）２４の周縁に位置する開口周縁部２６の前面より後方に位置し、操作パネル（外観構成部材）２２には、少なくとも表示面４４及び開口周縁部２６を覆うように透過性のシール部材２８が配されている。【選択図】図１
2019066105.tif 000002
【特許請求の範囲】
【請求項１】
表示部を備える貯蔵庫であって、
前記表示部は、前記貯蔵庫の外観を構成する外観構成部材に形成された開口部を介して表示面が視認可能な構成とされ、前記表示面を備えて方形板状をなす表示モジュールと、前記表示面が前記開口部内に収まるように、前記表示モジュールを前記外観構成部材に取り付ける取付部材と、を備え、
前記開口部に収められた前記表示面は、前記外観構成部材における前記開口部の周縁に位置する開口周縁部の前面より後方に位置し、
前記外観構成部材には、少なくとも前記表示面及び前記開口周縁部を覆うように透過性のシール部材が配されている貯蔵庫。
【請求項２】
前記外観構成部材は、導電性の部材から構成される一方、  前記取付部材は、絶縁性の部材から構成されており、
前記外観構成部材と前記取付部材とは、導電性を有する固定部材により固定されており、
前記固定部材と前記表示モジュールとは、導電性の接続部材によって電気的に接続されている請求項１に記載の貯蔵庫。
【請求項３】
前記表示モジュールの周端部には、電気ケーブルが外方に突出しており、
前記取付部材は、前記電気ケーブルを拘束しつつ、前記表示モジュールの前記周端部から後方側へガイドするケーブル拘束部を備える請求項１又は請求項２に記載の貯蔵庫。
【発明の詳細な説明】
【技術分野】
【０００１】
本発明は、貯蔵庫に関する。
【背景技術】
【０００２】
従来、貯蔵庫には、内部温度等の設定値を外部から入力可能な入力デバイスを備えたものがある。このような入力デバイスとして、例えば特許文献１に記載のタッチスクリーンが用いられる。タッチスクリーンは、画面上に表示された画像、文字等を指で押すことで、設定値の入力が可能な入力装置である。タッチスクリーンは、方形板状をなしており、ディスプレイ、回路ボード、及びセンサ等により構成されている。タッチスクリーンには、縁を覆うように、枠状をなすフレームが取り付けられている。
【先行技術文献】
【特許文献】
【０００３】
【特許文献１】特表平１０−５１１１９８号公報
【発明の概要】
【発明が解決しようとする課題】
【０００４】
上記構成において、タッチスクリーンの表面と、フレームの裏面との間は、僅かに隙間が空いている。そのため、その隙間に埃等が滞留するという問題がある。
【０００５】
本発明は上記のような事情に基づいて完成されたものであって、表面に埃等が滞留しないタッチスクリーンを備える貯蔵庫を提供することを目的とする。
【課題を解決するための手段】
【０００６】
上記課題を解決するために、本発明の貯蔵庫は、表示部を備える貯蔵庫であって、前記表示部は、前記貯蔵庫の外観を構成する外観構成部材に形成された開口部を介して表示面が視認可能な構成とされ、前記表示面を備えて方形板状をなす表示モジュールと、前記表示面が前記開口部内に収まるように、前記表示モジュールを前記外観構成部材に取り付ける取付部材と、を備え、前記開口部に収められた前記表示面は、前記外観構成部材における前記開口部の周縁に位置する開口周縁部の前面より後方に位置し、前記外観構成部材には、少なくとも前記表示面及び前記開口周縁部を覆うように透過性のシール部材が配されていることに特徴を有する。
表示面及び開口周縁部を覆うように、透過性を有するシール部材を外観構成部材に配するため、開口部から露出する表示面周辺に段差がなくなり、その段差部分に埃等が滞留することを防止できる。
【０００７】
また、前記外観構成部材は、導電性の部材から構成される一方、前記取付部材は、絶縁性の部材から構成されており、前記外観構成部材と前記取付部材とは、導電性を有する固定部材により固定されており、前記固定部材と前記表示モジュールとは、導電性の接続部材によって電気的に接続されているものとすることができる。
表示モジュールに静電気が帯電すると、静電気は、接続部材から固定部材に流れ、さらに固定部材から外観構成部材に流れる。これにより、表示モジュールが静電気により故障することを防止できる。
【０００８】
また、前記表示モジュールの周端部からは、電気ケーブルが外方に突出しており、前記取付部材は、前記電気ケーブルを拘束しつつ、前記表示モジュールの前記周端部から後方側へガイドするケーブル拘束部を備えるものとすることができる。
電気ケーブルは、取付部材のケーブル拘束部によって拘束され、さらに表示モジュールの周端部から後方側へガイドされているので、取付部材を、外観構成部材の後方から取り付ける際、電気ケーブルが開口部の開口縁に当たり、電気ケーブルが傷つくことを防止できる。
【発明の効果】
【０００９】
本発明によれば、表示モジュールの表示面に埃等が滞留しない貯蔵庫を提供することができる。
【図面の簡単な説明】
【００１０】
【図１】実施形態に係る貯蔵庫の正面図
【図２】機械室の側断面図
【図３】表示部取付け後の操作パネルの前方斜視図
【図４】表示部取付け後の操作パネルの背面図
【図５】図４におけるＡ−Ａ断面図
【図６】図４におけるＢ−Ｂ断面図
【図７】操作パネル及び表示部の後方分解斜視図
【図８】取付部材の前方斜視図
【図９】フロントパネルの後方斜視図
【図１０】エアフィルタ装着後のルーバの前方斜視図
【図１１】エアフィルタ装着後のルーバの後方斜視図
【図１２】エアフィルタ装着後のルーバの正面図
【図１３】図１２におけるＣ−Ｃ断面図
【図１４】図１３における挿入口付近の拡大図
【図１５】ルーバの側断面図
【図１６】図１５におけるＤ−Ｄ断面図
【図１７】エアフィルタの前方斜視図
【図１８】エアフィルタの後方斜視図
【図１９】参考例１におけるルーバの後方斜視図
【図２０】参考例１における第３ガイド板付近の側断面図
【図２１】参考例２におけるフロントパネルの後方斜視図
【図２２】図６における表示面の上端部付近の拡大図
【発明を実施するための形態】
【００１１】
本実施形態の貯蔵庫１０について、図１から図１８を参照しつつ説明する。以降の説明では、図１から図１８のＸ方向を前方、Ｚ方向を上方、Ｙ方向を右方とする。
【００１２】
貯蔵庫１０は、加熱調理後の高温の食品を短時間で冷却する急速冷却庫であって、図１に示すように、前面が開口する断熱箱体製の冷却庫本体２０と、冷却庫本体２０の開口部に開閉可能に取り付けられた扉２１と、冷却庫本体２０の下方に設けられた操作パネル（外観構成部材）２２と、操作パネル２２の下方に設けられた機械室１６０と、を備えている。
【００１３】
冷却庫本体２０の内部には、図示しないものの、冷却庫本体２０の内気を冷却する冷却器が設けられている。冷却器は、所謂、蒸発器であって、後述する機械室１６０内に設けられた圧縮機、凝縮器１６２、及び減圧器により、圧縮、凝縮、及び減圧された冷媒を蒸発させ、冷却器周囲の熱を奪うことで、冷却庫本体２０の内気を冷却している。
【００１４】
操作パネル２２は、図１に示すように、貯蔵庫１０に前方から装着されており、貯蔵庫１０の外観の一部を構成している。操作パネル２２は、導電性の金属部材から構成されており、図７に示すように、板状をなしている。操作パネル２２には、前後方向に方形状に開口する第１開口部（開口部）２４が設けられている。操作パネル２２には、後方から固定パネル３０が取り付けられている。また、固定パネル３０には、後方から表示部４０が取り付けられている。
【００１５】
固定パネル３０は、導電性の金属部材から構成されており、図７に示すように、板状をなしている。固定パネル３０には、前後方向に方形状に開口する第２開口部３２が設けられている。固定パネル３０の第２開口部３２の形状は、操作パネル２２の第１開口部の形状と同じ形状となっている。固定パネル３０を操作パネル２２に取り付ける際は、第２開口部３２の開口縁を第１開口部２４の開口縁に合わせ、溶着により固定する。
【００１６】
固定パネル３０には、図７に示すように、２つの円筒突出部３４、及び２つの枠状突出部３６が設けられている。円筒突出部３４は、固定パネル３０の後面から後方に、円筒状に突出して設けられている。２つの円筒突出部３４は、第２開口部３２の上側に、左右方向に所定の間隔を空けて配されている。円筒突出部３４の内部は、固定ネジ（固定部材）７８が螺合可能なネジ穴となっている。固定ネジ７８は、導電性の金属部材から構成されている。枠状突出部３６は、上下方向に開口する枠状をなしており、固定パネル３０の下端から、後方に突出して設けられている。２つの枠状突出部３６は、左右方向に所定の間隔を空けて配されている。
【００１７】
表示部４０は、図７に示すように、表示モジュール４２と、取付部材５２と、導通板金（接続部材）７４と、制御基板７２とを備えている。表示モジュール４２は、所謂タッチパネルであって、方形板状をなしており、前面に視覚情報が表示可能な表示面４４を備えている。ユーザは、表示面４４に表示された文字、画像等を指等で押圧することで、設定値（例えば、冷却庫本体２０の内部の設定温度）を入力可能となっている。
【００１８】
電気ケーブル４６は、図５に示すように、表示モジュール４２の下側の縁面（周端部）４３から、電気ケーブル４６が外方に突出して設けられている。電気ケーブル４６は、図７に示すように、第１のＦＦＣ（フレキシブルフラットケーブル）４８と第２のＦＦＣ５０とから構成されている。第１のＦＦＣ４８及び第２のＦＦＣ５０は、折り曲げ可能な薄い平型状をなしており、左右方向に所定の間隔を空けて配されている。第１のＦＦＣ４８及び第２のＦＦＣ５０は、複数の電線から構成されており、表示面４４に表示される映像信号、及びユーザの入力信号等の伝送に用いられる。
【００１９】
取付部材５２は、絶縁性の合成樹脂部材から構成されており、図８に示すように、方形板状をなす取付部材本体部５４と、ケーブル拘束部６８と、２つの第１突出部６２と、２つの第２突出部６４とを備えている。
【００２０】
取付部材本体部５４の前面には、図８に示すように、表示モジュール４２を後方から収容可能な方形状の凹部５６が設けられている。凹部５６の深さ方向の長さは、図２２に示すように、表示モジュール４２の縁面４３の前後方向の長さよりも僅かに短くなっている。凹部５６に表示モジュール４２が収容されると、表示モジュール４２の表示面４４は、凹部５６の開口縁面よりも僅かに後方に位置している。凹部５６内の奥面５８には、図示しないものの両面テープが取り付けられており、表示モジュール４２の後面と、凹部５６内の奥面５８とは、両面テープにより固着される。
【００２１】
ケーブル拘束部６８は、図８に示すように、取付部材本体部５４の下端から下方に突出して設けられている。ケーブル拘束部６８は枠状をなしており、前後方向に開口している。また、凹部５６の開口縁の下面は、長方形状に一部、切り欠いた形状をなしており、ケーブル拘束部６８の枠内と連通している。図５に示すように、ケーブル拘束部６８の下枠の上端面及び後端面の間の角部７０は、Ｒ形状をなしている。表示モジュール４２の第１のＦＦＣ４８及び第２のＦＦＣ５０は、ケーブル拘束部６８の枠内に前方から挿通され、ケーブル拘束部６８の枠内に拘束される。第１のＦＦＣ４８及び第２のＦＦＣ５０は、後述する制御基板７２に接続される。
【００２２】
第１突出部６２は、図８に示すように、取付部材本体部５４の上端面から上方に突出して設けられている。第１突出部６２には、固定ネジ７８が挿通される挿通孔が、前後方向に開口して設けられている。２つの第１突出部６２は、左右方向に所定の間隔を空けて配されている。第２突出部６４は、取付部材本体部５４の下端面から下方に突出して設けられている。２つの第２突出部６４は、左右方向に所定の間隔を空けて配されている。
【００２３】
取付部材本体部５４の後面には、図８に示すように、方形状の角孔６０が開口して設けられている。角孔６０は、左側の第１突出部６２の下側に配されている。図４に示すように、取付部材本体部５４の背面視上、角孔６０から表示モジュール４２の後面が視認可能となっている。
【００２４】
取付部材本体部５４の後面には、図７に示すように、２つの第３突出部６６が後方に突出して設けられている。第３突出部６６は、円筒状をなしている。第３突出部６６の内部は、固定ネジ７８が螺合可能なネジ穴となっている。２つの第３突出部６６は、左右方向に所定の間隔を空けて配されている。
【００２５】
取付部材本体部５４の後面には、図４に示すように、表示モジュール４２を制御する制御基板７２が取り付けられている。制御基板７２は、図示しないものの貯蔵庫１０の各装置を制御する制御部に接続されている。表示モジュール４２に入力された設定値は、制御基板７２から制御部に伝送される。制御部は、入力された設定値に基づき各装置を作動させる。
【００２６】
制御基板７２は、図４に示すように、方形状をなしている。制御基板７２の四隅には、図７に示すように、それぞれ孔が開口して設けられている。制御基板７２の上側の２つの孔に固定ネジ７８がそれぞれ挿通され、挿通された固定ネジ７８は、取付部材本体部５４の第３突出部６６に螺合されている。これにより、制御基板７２は取付部材本体部５４の後面側に固定されている。
【００２７】
導通板金７４は、導電性の金属部材から構成されており、図７に示すように、取付部材本体部５４に後方から取り付けられる。導通板金７４は、図６に示すように、第１接続面７５と、第２接続面７６とから構成されている。第１接続面７５は、図４、図７に示すように、第１突出部６２の後面と平行な板状をなしている。第１接続面７５には、前後方向に開口する挿通孔が開口して設けられている。第２接続面７６は、板状をなしており、第１接続面７５の下端から下斜め前方に突出している。
【００２８】
表示部４０を固定パネル３０に取り付ける際は、先ず、取付部材本体部５４の第２突出部６４を固定パネル３０の枠状突出部３６の枠内に入れる。この時、表示モジュール４２の第１のＦＦＣ４８及び第２のＦＦＣ５０は、ケーブル拘束部６８の角部７０に当たっており、表示モジュール４２の下側の縁面４３から後方側にガイドされている。これにより、表示モジュール４２の第１のＦＦＣ４８及び第２のＦＦＣ５０が、操作パネル２２の第１開口部２４及び固定パネル３０の第２開口部３２の開口縁に挟まれ、傷つくことが防止されている。次に、取付部材本体部５４の右側の第１突出部６２の挿通孔に後方から固定ネジ７８を挿通し、挿通された固定ネジ７８を固定パネル３０の右側の円筒突出部３４のネジ穴に螺合する。
【００２９】
次に、導通板金７４の第２接続面７６を、取付部材本体部５４の角孔６０に挿通して、図６に示すように、表示モジュール４２の後面に接続する。次に、導通板金７４の第１接続面７５の挿通孔及び取付部材５２の左側の第１突出部６２の挿通孔に後方から固定ネジ７８を挿通し、挿通された固定ネジ７８を固定パネル３０の左側の円筒突出部３４のネジ穴に螺合する。これにより、表示モジュール４２と、固定パネル３０及び操作パネル２２とは、導通板金７４及び固定ネジ７８を介して電気的に接続されるため、表示モジュール４２に静電気が帯電しても、静電気を操作パネル２２に逃がすことができ、表示モジュール４２が静電気により故障することを防止できる。
【００３０】
取付部材５２が固定パネル３０に取り付けられると、図１、図３、図５に示すように、取付部材本体部５４の凹部５６の開口縁面及び表示モジュール４２の表示面４４は、正面視上、第１開口部２４内に収まっており、前方から第１開口部２４内の表示面４４全体が視認可能となっている。凹部５６の開口縁面、及び、操作パネル２２の第１開口部２４の周縁に位置する開口周縁部２６の前面は、図２２に示すように、同一平面上にある。また、表示モジュール４２の表示面４４は、開口周縁部２６の前面よりも僅かに後方に位置している。このように表示面４４を配することで、後述するシール部材２８が前方から貼られた際、表示面４４がシール部材２８に押されることで表示面４４に圧力がかかり、表示モジュール４２が誤動作することを防止している。
【００３１】
操作パネル２２の前方から、図１、図７に示すように、透過性のシール部材２８が操作パネル２２の前面に貼られている。シール部材２８は、表示モジュール４２の表示面４４、及び、凹部５６の開口縁面、並びに、操作パネル２２の第１開口部２４の開口周縁部２６を覆っている。これにより、操作パネル２２の第１開口部２４から露出する表示モジュール４２の表示面４４周辺に段差がなくなり、その段差部分に埃等が滞留することを防止できる。
【００３２】
機械室１６０は、図２に示すように、前方が開口する箱状をなしており、内部に、凝縮器１６２、圧縮機、及び減圧器等が収容されている。凝縮器１６２は、機械室１６０の前方の開口部側に配されており、凝縮器１６２の後方側に凝縮器ファン１６４が設けられている。機械室１６０の開口部には、フロントパネル８０が前方から装着されている。凝縮器ファン１６４が作動すると、外気が、後述するエアフィルタ１３０を介して、機械室１６０の内部に流れる。
【００３３】
フロントパネル８０は、図９に示すように、方形板状をなすフロントパネル本体部８２と、ルーバ９２と、エアフィルタ１３０とを備えている。フロントパネル本体部８２には、方形状に開口する２つの第３開口部８４が設けられている。２つの第３開口部８４は、左右方向に所定の間隔を空けて配されている。第３開口部８４の後側の開口縁から、突出板８６が後方に突出して設けられている。突出板８６は、第３開口部８４の上下の縁から突出する第１突出板８８と、第３開口部８４の左右の縁から突出する第２突出板９０とから構成されている。
【００３４】
ルーバ９２は、図１０に示すように、方形枠状をなすルーバ本体部９４と、複数の羽板１０８とを備えている。ルーバ９２は、図９に示すように、フロントパネル８０の第３開口部８４に、前方から装着されている。
【００３５】
羽板１０８は、図１０に示すように、左右方向に長い板状をなしている。羽板１０８の左右の端部は、ルーバ本体部９４の左右の枠の内面と連なっている。複数の羽板１０８は、上下方向に所定の間隔を空けてそれぞれ配されている。羽板１０８は、図１３に示すように、前端から後端に亘って、上方にやや傾斜している。
【００３６】
ルーバ本体部９４には、図１０に示すように、上下方向に長い板状をなす２つの支持板１１２が設けられている。２つの支持板１１２は、左右方向に所定の間隔を空けて配されている。支持板１１２は、ルーバ本体部９４の下枠、及び、複数の羽板１０８の後部と連なっている。これにより、羽板１０８に応力がかかっても、支持板１１２が羽板１０８を支えるため、羽板１０８が応力方向に過度に曲がって破損することが防止される。
【００３７】
最上段の羽板１０８とルーバ本体部９４の上枠との間の空間は、図１３に示すように、エアフィルタ１３０が挿入される挿入口１１８となる。最上段の羽板１０８は、図１０に示すように、ルーバ本体部９４の左枠と左側の支持板１１２との間、及び、ルーバ本体部９４の右枠と右側の支持板１１２との間には設けられているが、２つの支持板１１２の間には設けられてない。
【００３８】
左右の支持板１１２の間の上部には、図１０、図１３に示すように、板状の奥壁１１４が設けられている。奥壁１１４の両側端は、左右の支持板１１２とそれぞれ連なっている。奥壁１１４の下端部と、上から２番目の羽板１０８の後端部とは、連結部１１６を介して連なっている。連結部１１６は、Ｒ形状をなしている。
【００３９】
ルーバ本体部９４には、図１１に示すように、１つの第１ロックアーム１２０、４つの第２ロックアーム１２２、及び３つの第３ロックアーム１２４が設けられている。第１ロックアーム１２０は、左右方向に長い形状をなしており、図１３に示すように、ルーバ本体部９４の上枠の後端から後方に突出して設けられている。また、第１ロックアーム１２０の先端からロック部が上方に突出して設けられている。ルーバ９２をフロントパネル８０に装着する際、第１ロックアーム１２０のロック部がフロントパネル８０の上側の第１突出板８８の下面と当たり、第１ロックアーム１２０は下方に撓む。ルーバ９２がフロントパネル８０に装着されると、図２に示すように、第１ロックアーム１２０の撓みが復元し、第１ロックアーム１２０の上面と、第１突出板８８の下面とは当接する。ここで、第１ロックアーム１２０は左右方向に長い形状をなしているので、第１突出板８８との接触面積が大きくなり、第１ロックアーム１２０と第１突出板８８との接触摩擦も大きくなる。これにより、第１ロックアーム１２０は、第１突出板８８から外れ難くなり、ルーバ９２がフロントパネル８０から、衝撃等により外れることを防止できる。
【００４０】
第２ロックアーム１２２は、図１１に示すように、ルーバ本体部９４の左右の枠に２つずつ設けられており、それぞれ上下方向に所定の間隔を空けて配されている。第２ロックアーム１２２は、ルーバ本体部９４の後端から後方に突出し、さらにロック部が外方に突出している。上側の左右２つの第２ロックアーム１２２は、図１３に示すように、最上段の羽板１０８と、上から２番目の羽板１０８との間に配されている。下側の左右２つの第２ロックアーム１２２は、最下段の羽板１０８と、下から２番目の羽板１０８との間に配されている。上側の左右２つの第２ロックアーム１２２の内側の面からは、ガイド突起１０６が突出して設けられている。
【００４１】
最上段の羽板１０８、及び、上から２番目の羽板１０８の左右両端の基端部１１０は、図１６に示すように、後方部を方形状に切欠いた形状をなしている。また、最下段の羽板１０８、及び、下から２番目の羽板１０８の左右両端の基端部１１０についても同様に、後方部を方形状に切欠いた形状をなしている。このようにすることで、基端部１１０を切欠いた形状にしない場合と比較して、第２ロックアーム１２２のアームの長さが長くなり、第２ロックアーム１２２は内方（左右の第２ロックアーム１２２の間の中心部に向かう方向）に撓みやすくなる。従って、ルーバ９２をフロントパネル８０に装着時に第２ロックアーム１２２のロック部がフロントパネル８０の左右の第２突出板９０の内面と当たって第２ロックアーム１２２は内方に撓むこととなるが、その際に、第２ロックアーム１２２の根元の部分となる羽板１０８の基端部１１０にかかる応力が減り、羽板１０８が破損することを防止している。ルーバ９２がフロントパネル８０に装着されると、第２ロックアーム１２２の撓みが復元し、第２ロックアーム１２２の外面と、第２突出板９０の内面とは当接する。
【００４２】
第３ロックアーム１２４は、図１１に示すように、ルーバ本体部９４の下枠に３つ設けられており、左右方向に所定の間隔を空けて配されている。第３ロックアーム１２４は、ルーバ本体部９４の下枠の後端から後方に突出し、さらにその先端からロック部が下方に突出している。ルーバ９２がフロントパネル８０に装着されると、図２に示すように、第３ロックアーム１２４の下面と、下側の第１突出板８８の上面とは当接する。
【００４３】
ルーバ本体部９４の上枠には、図１３に示すように、第１ガイド板９６が設けられている。第１ガイド板９６は、ルーバ本体部９４の上枠の後端から、斜め下方に突出する第１傾斜部９８と、第１傾斜部９８の後端から、第１傾斜部９８よりも急な傾斜で斜め下方に突出する第２傾斜部１００と、第２傾斜部１００の中央の端部から、第２傾斜部１００の傾斜方向に突出する中央突出部１０２とから構成されている。後述するエアフィルタ１３０が挿入口１１８から挿入されると、第１ガイド板９６の前面にエアフィルタ１３０の端部が当たり、エアフィルタ１３０は下方にガイドされる。また、中央突出部１０２を設けることで、エアフィルタ１３０を、より確実に下方にガイドすることができる。
【００４４】
図１１に示すように、ルーバ本体部９４の左右の枠の後端から、一対の第２ガイド板１０４が後方に突出して設けられている。第２ガイド板１０４は、上下の第２ロックアーム１２２の間に配されている。第２ガイド板１０４には、４つのガイド突起１０６が設けられている。ガイド突起１０６は、第２ガイド板１０４の内側の面から内方に突出している。
【００４５】
第２ロックアーム１２２及び第２ガイド板１０４に設けられたガイド突起１０６は、図１３に示すように、後ろ斜め下方向に所定の間隔を空けて配されている。ガイド突起１０６は、挿入口１１８から後述するエアフィルタ１３０を挿入する際、エアフィルタ１３０が適正位置に挿入されるようにするためのガイドとなる。図１４に示すように、それぞれのガイド突起１０６の前端の点を結ぶと、曲率半径Ｒ１の円弧となる。
【００４６】
エアフィルタ１３０は、図１７に示すように、フレーム部１３２と、メッシュ部１３８と、ヘッド部１４０とを備えている。フレーム部１３２は、後方に向けて円弧上に湾曲した形状をなしており、６つの開口部を有している。フレーム部１３２の湾曲部の曲率半径Ｒ２は、曲率半径Ｒ１よりも小さくなっている。これにより、挿入口１１８からエアフィルタ１３０を挿入する際、エアフィルタ１３０がガイド突起１０６に引っかかり難くなり、エアフィルタ１３０の挿入をスムーズに行うことができる。
【００４７】
メッシュ部１３８は、空気中の埃が通過できない程度の小さな網目状のシートである。メッシュ部１３８は、図１７に示すように、フレーム部１３２の６つの開口部を覆うように、フレーム部１３２に取り付けられている。
【００４８】
フレーム部１３２には、一対の第１突起部１３４、及び一対の第２突起部１３６が設けられている。一対の第１突起部１３４は、図１７に示すように、フレーム部１３２の左右の枠の上部にそれぞれ設けられており、フレーム部１３２の前面から前方に突出している。一対の第２突起部１３６は、図１８に示すように、フレーム部１３２の左右の枠の上部にそれぞれ設けられており、フレーム部１３２の後面から後方に突出している。図１３に示すように、ルーバ９２にエアフィルタ１３０が挿入されると、第１突起部１３４の直ぐ後方位置に第２ロックアーム１２２のガイド突起１０６があり、第２突起部１３６の直ぐ前方位置に奥壁１１４の上端がある。これにより、エアフィルタ１３０に振動等が加えられても、第１突起部１３４が第２ロックアーム１２２のガイド突起１０６に当たり、第２突起部１３６が奥壁１１４の上端に当たるため、エアフィルタ１３０のガタツキを抑えることができる。
【００４９】
ヘッド部１４０は、図１７、図１８に示すように、フレーム部１３２の上枠の上部に設けられている。ヘッド部１４０は、フレーム部１３２の上端から前方に突出する板状の平坦部１４２と、平坦部１４２の前端から上方に突出する板状の前壁部１４４と、平坦部１４２の側縁、及び、前壁部１４４の側縁とをそれぞれ連結する一対の側壁１５４とを備えている。
【００５０】
ヘッド部１４０には、図１７に示すように、前壁部１４４の中央付近の下側から、平坦部１４２の後端に亘って、方形状に切欠かれた形状をなす中央開口部１４６が設けられている。図１８に示すように、前壁部１４４の後面から後方に内枠部１４８が突出して設けられている。内枠部１４８は、前後方向に開口しており、左右一対の横枠１５２と、一対の横枠１５２の上端を連結する上枠１５０とから構成されている。一対の横枠１５２の下端は、中央開口部１４６の開口縁の左右両端と、それぞれ連なっている。上枠１５０は、中央開口部１４６の開口縁の上端より上側に配されている。
【００５１】
ルーバ９２にエアフィルタ１３０が挿入されると、図１２に示すように、正面視上、中央開口部１４６の後方にルーバ９２の中央突出部１０２があり、中央開口部１０２を塞いでいる。これにより、エアフィルタ１３０を介さず、中央開口部１４６から機械室１６０の内部に外気が流れることを防止している。
【００５２】
側壁１５４の縁は、図１３に示すように、前壁部１４４の上端から平坦部１４２に向けて、斜め下方に突出する第３傾斜部１５６と、第３傾斜部１５６の端部から、第３傾斜部１５６よりも急な傾斜で斜め下方に突出する第４傾斜部１５８とから構成されている。側面視上、第３傾斜部１５６の端部の位置は、内枠部１４８の後端と同じ位置となっている。エアフィルタ１３０をルーバ９２から取り出す際、内枠部１４８の前後方向の長さが長い程、内枠部１４８に指が引っかかり易くすることができるが、内枠部１４８を長くすると、内枠部１４８の後端がルーバ９２の上枠と干渉し易くなり、エアフィルタ１３０が取り出し難くなってしまう。そこで、側面視上、第３傾斜部１５６の端部の位置を、内枠部１４８の端部と同じ位置とすることで、内枠部１４８がルーバ９２と干渉することを防止している。なお、第３傾斜部１５６の端部の位置は、内枠部１４８の端部よりも手前側（前方方向）の位置であれば、内枠部１４８がルーバ９２と干渉することを防止することができる。
【００５３】
ルーバ９２に挿入されたエアフィルタ１３０を取り出す際は、先ず、ユーザの手を、ルーバ９２の奥壁１１４に当てる。次に、手を上方に動かすと、図１３に示すように、奥壁１１４の上方にエアフィルタ１３０の上枠１５０があるため、手がエアフィルタ１３０の上枠１５０に当たる。このように、奥壁１１４は、ユーザの手を上枠１５０に誘導するガイドの役割を果たしている。次に、手を手前に少し引くと、前壁部１４４の後面に手が引っかかる。次に、エアフィルタ１３０を斜め上前方に引っ張る。以上により、ルーバ９２からエアフィルタ１３０を取り出すことができる。このように、エアフィルタ１３０を指で引っ掛けて取り出す形状とすることで、例えば、外部に突出する摘み部を指で掴んで取り出す形状のものと比較して、エアフィルタ１３０をフラットな形状にすることができる。また、内枠部１４８は前後方向に開口していることから、指を中央開口部１４６から入れる際、指を奥まで入れることが可能となるため、エアフィルタ１３０を指で引っ掛け易くなり、エアフィルタ１３０を容易に取り出すことができる。
【００５４】
本実施形態によれば、以下の作用、効果を奏する。
貯蔵庫１０は、表示部４０を備える貯蔵庫１０であって、表示部４０は、貯蔵庫１０の外観を構成する操作パネル（外観構成部材）２２に形成された第１開口部（開口部）２４を介して表示面４４が視認可能な構成とされ、表示面４４を備えて方形板状をなす表示モジュール４２と、表示面４４が第１開口部（開口部）２４内に収まるように、表示モジュール４２を操作パネル（外観構成部材）２２に取り付ける取付部材５２と、を備え、第１開口部（開口部）２４に収められた表示面４４は、操作パネル（外観構成部材）２２における第１開口部（開口部）２４の周縁に位置する開口周縁部２６の前面より後方に位置し、操作パネル（外観構成部材）２２には、少なくとも表示面４４及び開口周縁部２６を覆うように透過性のシール部材２８が配されている。
本実施形態によれば、表示面４４及び開口周縁部２６を覆うように、透過性を有するシール部材２８を操作パネル（外観構成部材）２２に配するため、第１開口部（開口部）２４から露出する表示面４４周辺に段差がなくなり、その段差部分に埃等が滞留することを防止できる。
【００５５】
また、操作パネル（外観構成部材）２２は、導電性の部材から構成される一方、取付部材５２は、絶縁性の部材から構成されており、操作パネル（外観構成部材）２２と取付部材５２とは、導電性を有する固定ネジ（固定部材）７８により固定されており、固定ネジ（固定部材）７８と表示モジュール４２とは、導電性の導通板金（接続部材）７４によって電気的に接続されているものとすることができる。
表示モジュール４２に静電気が帯電すると、静電気は、導通板金（接続部材）７４から固定ネジ（固定部材）７８に流れ、さらに固定ネジ（固定部材）７８から操作パネル（外観構成部材）２２に流れる。これにより、表示モジュール４２が静電気により故障することを防止できる。
【００５６】
また、表示モジュール４２の縁面（周端部）４３からは、電気ケーブル４６が外方に突出しており、取付部材５２は、電気ケーブル４６を拘束しつつ、表示モジュール４２の縁面（周端部）４３から後方側へガイドするケーブル拘束部６８を備えるものとすることができる。
電気ケーブル４６は、取付部材５２のケーブル拘束部６８によって拘束され、さらに表示モジュール４２の縁面（周端部）４３から後方側へガイドされているので、取付部材５２を、操作パネル（外観構成部材）２２の後方から取り付ける際、電気ケーブル４６が第１開口部（開口部）２４の開口縁に当たり、電気ケーブル４６が傷つくことを防止できる。
【００５７】
＜参考例１＞
図１９及び図２０を参照して参考例１を説明する。
参考例１のルーバ９２Ａは、図１９に示すように、ルーバ本体部９４の下枠の後端から、斜め上後方に突出する２つの第３ガイド板１２６を備えている。２つの第３ガイド板１２６は、左右方向に所定の間隔を空けて配されている。第３ガイド板１２６を設けることで、図２０に示すように、ルーバ９２Ａにエアフィルタ１３０を取り付ける際、エアフィルタ１３０のフレーム部１３２の下枠が第３ガイド板１２６に当たり、エアフィルタ１３０を規定の位置に誘導することができる。
【００５８】
＜参考例２＞
図２１を参照して参考例２を説明する。
参考例２のフロントパネル８０Ａは、図２１に示すように、２つの第３ガイド板１２６Ａを備えている。第３ガイド板１２６Ａは、フロントパネル本体部８２の後面側に設けられており、第３開口部８４の下縁から斜め上後方に突出して設けられている。２つの第３ガイド板１２６Ａは、左右方向に所定の間隔を空けて配されている。第３ガイド板１２６Ａを設けることで、参考例１の第３ガイド板１２６と同様、ルーバ９２にエアフィルタ１３０を取り付ける際、エアフィルタ１３０のフレーム部１３２の下枠が第３ガイド板１２６Ａに当たり、エアフィルタ１３０を規定の位置に誘導することができる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、貯蔵庫１０は食品を急速冷却可能な急速冷却庫としたが、食品を貯蔵する目的のものであれば何でも良く、例えば、急速冷却機能を有さない通常の冷蔵庫でも良い。
（２）上記実施形態では、表示モジュール４２はタッチパネルとしたが、タッチパネル機能を有さない通常の表示モジュールとしても良い。その場合、操作パネルに別途、物理ボタンを設け、物理ボタンを押して設定値を変更する構成としても良い。
（３）上記実施形態では、電気ケーブル４６は、表示モジュール４２の下側の縁面４３から外方に突出する構成としたが、電気ケーブルは、上側の縁面、又は左右のいずれかの縁面から外方に突出する構成としても良い。その場合、取付部材のケーブル拘束部も、電気ケーブルが突出する縁面側に設けるものとする。
【符号の説明】
【００６０】
１０…貯蔵庫
２２…操作パネル（外観構成部材）
２４…第１開口部（開口部）
２６…開口周縁部
２８…シール部材
４０…表示部
４２…表示モジュール
４３…縁面（周端部）
４４…表示面
４６…電気ケーブル
５２…取付部材
６８…ケーブル拘束部
７４…導通板金（接続部材）
７８…固定ネジ（固定部材）
【図１】
2019066105.tif 000003
【図２】
2019066105.tif 000004
【図３】
2019066105.tif 000005
【図４】
2019066105.tif 000006
【図５】
2019066105.tif 000007
【図６】
2019066105.tif 000008
【図７】
2019066105.tif 000009
【図８】
2019066105.tif 000010
【図９】
2019066105.tif 000011
【図１０】
2019066105.tif 000012
【図１１】
2019066105.tif 000013
【図１２】
2019066105.tif 000014
【図１３】
2019066105.tif 000015
【図１４】
2019066105.tif 000016
【図１５】
2019066105.tif 000017
【図１６】
2019066105.tif 000018
【図１７】
2019066105.tif 000019
【図１８】
2019066105.tif 000020
【図１９】
2019066105.tif 000021
【図２０】
2019066105.tif 000022
【図２１】
2019066105.tif 000023
【図２２】
2019066105.tif 000024